(57)【要約】【課題】駆動ユニット５０が、ディスクを駆動する駆動位置と、ディスクを選択する退避する位置との間を移動させられるものにおいて、駆動ユニット５０が駆動位置にあるときのがたつきを簡単な機構で防止できるようにする。【解決手段】ドライブシャーシ５１上には、板ばね７０が設けられている。この板ばね７０は、弾性部材７０ｃを一体に有し、駆動ユニット５０が駆動位置に至ったときに、前記弾性部材７０ｃが支持ベース４の押圧部４ｂに乗り上がる。これにより、駆動ユニット５０には、第１の摺動ピン８２ａを支点とするモーメント（ｍ）が発生して、駆動ユニット５０の後端部が支持ベース４に押し付けられて、駆動ユニット５０の支持ベース４に対するがたつきが防止される。【選択図】    図８
2004310942.tif 000002
【特許請求の範囲】
【請求項１】
複数のディスクがその厚み方向に重ねられて設置されるディスク設置部と、前記ディスクを回転駆動する駆動ユニットと、前記駆動ユニットを前記ディスクの重なり領域から外れた退避位置と選択されたディスクを駆動できる駆動位置との間で移動自在に案内する案内手段と、前記駆動ユニットを前記退避位置と駆動位置との間で移動させる移動駆動手段と、前記駆動ユニットが前記退避位置にあるときに前記ディスク設置部と前記駆動ユニットとをディスクの厚み方向へ相対的に移動させて前記ディスク設置部内のいずれかのディスクを選択するディスク選択手段と、が設けられ、
前記駆動ユニットと前記駆動ユニットを前記退避位置と前記駆動位置との間で移動自在に支持するベース部材との一方には、前記駆動ユニットが駆動位置に至ったときに前記駆動ユニットに弾圧力を与え、駆動ユニットが駆動位置から退避位置へ移動するときに前記弾圧力を解除する弾性部材が設けられていることを特徴とするディスク装置。
【請求項２】
前記案内手段は、前記ベース部材に設けられた直線的で且つ平行に延びる一対のガイド長穴と、前記駆動ユニットに設けられて、それぞれのガイド長穴を摺動する摺動凸部とを有しており、一方のガイド長穴と前記摺動凸部との摺動隙間が、他方のガイド長穴と摺動凸部との摺動隙間よりも狭く形成されて、摺動隙間の狭いガイド長穴が駆動ユニットの基準ガイドとされており、前記弾性部材による弾圧力が、前記他方のガイド長穴よりも前記基準ガイドとなるガイド長穴に近い位置で前記駆動ユニットに作用するように配置されている請求項１記載のディスク装置。
【請求項３】
前記弾圧力の作用点が、前記基準ガイドとなるガイド長穴の直線延長上に設けられている請求項２記載のディスク装置。
【請求項４】
前記駆動ユニットに設けられている摺動凸部は、それぞれのガイド長穴を摺動する一対の摺動ピンであり、前記駆動ユニットにおける前記一対の摺動ピンよりも駆動位置方向へ向かう前方部分が、前記弾性部材によって前記ベース部材から離れる方向へ弾圧されている請求項２または３記載のディスク装置。
【請求項５】
前記駆動ユニットには、ヘッドをディスクの記録面に沿う方向へ案内するヘッド案内部と、前記ヘッドを前記ヘッド案内部に沿って移動させるスクリュー軸と、前記スクリュー軸を回転させるスレッドモータとが設けられており、前記スクリュー軸は、板ばねによって軸方向へ付勢されており、前記板ばねが前記弾性部材として兼用されている請求項１ないし４のいずれかに記載のディスク装置。
【発明の詳細な説明】
【０００１】
【発明の属する技術分野】
本発明は、駆動ユニットがディスクから外れる退避位置と選択されたディスクを駆動する駆動位置との間で移動するディスク選択式のディスク装置に関する。
【０００２】
【従来の技術】
下記の特許文献１ないし特許文献３には、ディスク選択式のディスク装置が示されている。これらディスク装置は、筐体内に複数枚のディスクがその厚み方向に重ねられて設置されており、ディスクの選択動作では、各ディスクがその厚み方向へ移動し、選択されたディスクが所定位置に至るとともに選択されたディスクとその下に位置するディスクとの間隔が広げられる。
【０００３】
ターンテーブルと光ヘッドとを有する駆動ユニットは、ディスクを選択する動作の際にディスクの移動領域から外れる位置へ移動し、いずれかのディスクが選択されると、選択されたディスクとその下に位置するディスクとの間に駆動ユニットが介入し、選択されたディスクが駆動されて、再生動作が行われる。
【０００４】
特許文献１に記載のものでは、駆動ユニットがディスクの移動領域から外れる位置とディスクを駆動する位置との間で平行状態を保ちながら移動させられる。
特許文献２と特許文献３に示すものは、駆動ユニットが、筐体内に設けられた軸を中心として回動して、ディスクの移動領域から外れる位置とディスクを駆動する位置との間で移動させられる。
【０００５】
【特許文献１】
特開平１０−２８３７０７号公報
【特許文献２】
特開平１１−３５３７６９号公報
【特許文献３】
特開平８−１８０５６６号公報
【０００６】
【発明が解決しようとする課題】
しかし、上記した特許文献１に示すものは、駆動ユニットを平行状態を保って移動させる案内機構に、駆動ユニットを移動させるためのクリアランスが必要となる。そのため、選択されたディスクを駆動ユニットにクランプして駆動しているときに、外部からの振動により、またはディスクを回転駆動する際に発生する自らの振動により、駆動ユニットにがたつきが発生しやすく、ディスクに記録されている信号を再生するときに再生エラーが発生しやすくなる。
【０００７】
また、特許文献２と特許文献３に示すものは、駆動ユニットが一方の端部を支点として回動するものであるため、駆動ユニットの支持が不安定である。したがって選択されたディスクを駆動する際に前記振動が発生しやすい構造となっている。そのため、駆動ユニットを、ディスクを駆動する位置でロックする機構が必要となって機構が複雑になる。
【０００８】
本発明は、上記従来の課題を解決するものであり、簡単な機構で、しかもディスクを駆動中の駆動ユニットのがたつきを抑制できるディスク装置を提供することを目的とする。
【０００９】
【課題を解決するための手段】
本発明のディスク装置は、複数のディスクがその厚み方向に重ねられて設置されるディスク設置部と、前記ディスクを回転駆動する駆動ユニットと、前記駆動ユニットを前記ディスクの重なり領域から外れた退避位置と選択されたディスクを駆動できる駆動位置との間で移動自在に案内する案内手段と、前記駆動ユニットを前記退避位置と駆動位置との間で移動させる移動駆動手段と、前記駆動ユニットが前記退避位置にあるときに前記ディスク設置部と前記駆動ユニットとをディスクの厚み方向へ相対的に移動させて前記ディスク設置部内のいずれかのディスクを選択するディスク選択手段と、が設けられ、
前記駆動ユニットと前記駆動ユニットを前記退避位置と前記駆動位置との間で移動自在に支持するベース部材との一方には、前記駆動ユニットが駆動位置に至ったときに前記駆動ユニットに弾圧力を与え、駆動ユニットが駆動位置から退避位置へ移動するときに前記弾圧力を解除する弾性部材が設けられていることを特徴とするものである。
【００１０】
本発明のディスク装置は、駆動ユニットがディスクを駆動する位置に至ったときに駆動ユニットが弾性部材からの弾圧力を受けて安定するため、ディスクを駆動中に駆動ユニットが不用意にがたつくのを防止でき、記録信号の再生エラー、信号を記録する場合の記録エラーの発生を防止できる。また、駆動ユニットが移動する際に前記弾圧力が解除されるため、駆動ユニットの移動負荷が増大することがない。
【００１１】
例えば、前記案内手段は、前記ベース部材に設けられた直線的で且つ平行に延びる一対のガイド長穴と、前記駆動ユニットに設けられて、それぞれのガイド長穴を摺動する摺動凸部とを有しており、一方のガイド長穴と前記摺動凸部との摺動隙間が、他方のガイド長穴と摺動凸部との摺動隙間よりも狭く形成されて、摺動隙間の狭いガイド長穴が駆動ユニットの基準ガイドとされており、前記弾性部材による弾圧力が、前記他方のガイド長穴よりも前記基準ガイドとなるガイド長穴に近い位置で前記駆動ユニットに作用するように配置されていることが好ましい。
【００１２】
基準ガイド側では、ガイド長穴と摺動凸部との摺動隙間が狭いため、この基準ガイド側で駆動ユニットを弾圧することにより、駆動位置で駆動ユニットを効果的に安定させることができる。
【００１３】
そのためには、前記弾圧力の作用点が、前記基準ガイドとなるガイド長穴の直線延長上に設けられていることがさらに好ましい。
【００１４】
また、前記駆動ユニットに設けられている摺動凸部は、それぞれのガイド長穴を摺動する一対の摺動ピンであり、前記駆動ユニットにおける前記一対の摺動ピンよりも駆動位置方向へ向かう前方部分が、前記弾性部材によって前記ベース部材から離れる方向へ弾圧されている構造とすることができる。
【００１５】
この構造では、前記弾性部材の弾圧力によって、駆動ユニットに対してモーメントが作用し、駆動ユニットを効果的に安定させることができる。
【００１６】
さらに、前記駆動ユニットには、ヘッドをディスクの記録面に沿う方向へ案内するヘッド案内部と、前記ヘッドを前記ヘッド案内部に沿って移動させるスクリュー軸と、前記スクリュー軸を回転させるスレッドモータとが設けられており、前記スクリュー軸は、板ばねによって軸方向へ付勢されており、前記板ばねが前記弾性部材として兼用されているものとして構成できる。
【００１７】
スクリュー軸を軸方向へ付勢する板ばねを前記弾性部材として兼用することにより、部品点数を削減できる。
【００１８】
【発明の実施の形態】
図１は本発明のディスク装置の内部構造の一例を示す平面図、図２は図１に示すディスク装置の側面図、図３は駆動ユニットが駆動位置にあるときの一部拡大斜視図、図４は図３のＩＶ矢視の側面図、図５は駆動ユニットが退避位置に移動しているときの平面図、図６は駆動ユニットが駆動位置に移動しているときの平面図、図７は図５のＶＩＩ矢視の側面図、図８は図６のＶＩＩＩ矢視の側面図である。
【００１９】
図１および図２に示すディスク装置１は、直径が１２ｃｍのＣＤ（コンパクトディスク）またはＤＶＤなどのディスクがこのディスク装置１内部に複数枚ストックされ、その中からいずれかのディスクを選択して駆動する、いわゆるチェンジャータイプのディスク装置である。
【００２０】
図２に示すように、筐体１０の正面（Ｙ２側の面）には、液晶表示パネルや各種のスイッチ類を有するノーズ部１０ａが設けられている。前記ノーズ部１０ａには、幅方向（Ｘ方向）に延びるスリット状の挿入口１０ｂが設けられている。
このディスク装置１のＹ１側の奥部には、複数のディスクＤを高さ方向に積層可能なディスク設置部３が設けられており、ディスクＤは前記ディスク設置部３に設けられたディスクホルダ４１に１枚ずつ保持され、且つ高さ方向（ディスクの厚み方向）に重ねられた状態で収納される。
【００２１】
図１に示すように、前記筐体１０内では、前記挿入口１０ｂの奥側に、ガイド部材１１と搬送手段２０とが間隔を空けて対向している。前記ガイド部材１１には、Ｙ１−Ｙ２方向に延びるガイド溝が形成され、前記搬送手段２０には、全てが同期して回転する複数の搬送ローラ２１，２２，２３，２４が設けられており、前記ガイド溝と搬送ローラ２１，２２，２３，２４が、前記挿入口１０ｂと同じ高さ位置に配置されている。また、前記ガイド部材１１のガイド溝内には検知スイッチ（図示せず）が設けられている。
【００２２】
また、前記ガイド部材１１と前記搬送手段２０は、前記ガイド溝と搬送ローラ２１，２２，２３，２４との間隔がディスクＤの直径よりも広い位置から、図１において矢印（ｉ）で示すように互いに接近する方向へ移動して、前記ガイド溝と搬送ローラ２１，２２，２３，２４とでディスクＤを挟持できる間隔に設定できるようになっている。
【００２３】
前記挿入口１０ｂから挿入されたディスクＤは、前記ガイド溝と搬送ローラとで挟持されて矢印（ｉｉ）方向へ移送されるが、ディスクＤの中心が図１において（ｖ）で示すクランプ位置に至ると、前記検知スイッチでディスクＤが検知されてディスクの搬送が停止する。また、ディスク設置部３内においていずれかのディスクホルダ４１が選択されて図２に示す選択位置４１Ａに移動すると、このディスクホルダ４１に保持されているディスクＤが前記ガイド溝と搬送ローラ２１，２２，２３，２４とで挟持され、搬送ローラ２１，２２，２３，２４の回転力によって（ｉｉｉ）方向へ搬送される。このときもディスクＤの中心が前記クランプ位置（ｖ）に至った状態が前記検知スイッチで検知されて、ディスクＤの搬送が停止する。
【００２４】
前記ディスク設置部３に設けられたディスクホルダ４１は、前記ガイド部材１１と搬送手段２０とで挟持されて（ｉｉ）方向へ搬入されるディスクＤの前方の外周縁を保持できるようになっている。このディスクホルダ４１はディスクの厚み方向に複数個（図２の実施の形態では６個）重ねられて配置されている。
【００２５】
図２に示すように、前記筐体１０内には、複数本のスクリュー軸４２が垂直に設置されて回転自在に支持されている。全てのスクリュー軸４２はモータの動力によって同期して回転駆動される。
【００２６】
全てのスクリュー軸４２の外周にはスクリュー溝４２ａが形成されている。このスクリュー溝４２ａは、スクリュー軸４２の上部と下部においてピッチが密であり、中間部分でピッチが疎となっている。前記ディスクホルダ４１には、前記スクリュー軸４２のスクリュー溝４２ａと噛み合う突起（図示せず）が設けられている。前記スクリュー軸４２が回転すると、それぞれのディスクホルダ４１が前記スクリュー溝４２ａによって上下に移動させられる。
【００２７】
前記のようにスクリュー溝４２ａは、スクリュー軸４２の上部と下部においてピッチが密であるため、ディスクホルダ４１は上部と下部で密に重なるようにストックされる。またスクリュー溝４２ａはスクリュー軸４２の中間部分でピッチが疎となっているため、スクリュー軸４２の中間部分ではディスクホルダ４１が上下に隣接するディスクホルダと離れて上下に移動することができる。ディスク選択動作では、ディスクホルダ４１の上下への移動動作によって、いずれかのディスクホルダ４１が選択位置４１Ａに移動すると、前記スクリュー軸４２の回転が停止する。この選択位置４１Ａに移動したディスクホルダ４１に保持されているディスクＤは、前記ガイド部材１１と搬送手段２０とで挟持可能な高さに設定される。
【００２８】
図２に示すように、筐体１０内では、挿入口１０ｂとディスク設置部３との間に支持ベース（ベース部材）４が設けられている。筐体１０の底面にはエアーダンパー５が設けられ、支持ベース４の底面に設けられた支持軸５ａが前記エアーダンパー５に支持されている。また支持ベース４はコイルスプリング５ｂで吊られており、エアーダンパー５とコイルスプリング５ｂによる弾性支持部材によって、支持ベース４が弾性支持されている。また筐体１０内の固定部には、ロック部材７がＹ１−Ｙ２方向へ摺動自在に支持されており、このロック部材７にはロック穴７ａ，７ａが形成されている。前記支持ベース４に設けられた軸６，６が前記ロック穴７ａ，７ａの内部に挿入されている。
【００２９】
図２に示すように、支持ベース４上を移動する駆動ユニット５０が、ディスク設置部３内のディスクＤから離れた退避位置にあるとき、および前記退避位置から図１において破線で示す駆動位置へ移動するときには、ロック部材７がＹ１方向へ移動して、ロック穴７ａ，７ａによって支持ベース４がロック状態となる。
そして、駆動位置にある駆動ユニット５０にディスクＤがクランプされた後に、ロック部材７がＹ２方向へ移動して支持ベース４のロックが解除され、支持ベース４は前記エアーダンパー５，５およびコイルスプリング５ｂにより弾性支持された状態となる。
【００３０】
図５および図６に示すように、前記支持ベース４上に設けられた前記駆動ユニット５０は、挿入口１０ｂから挿入されたディスクＤの搬送経路の下側に位置するドライブシャーシ５１を有しており、このドライブシャーシ５１が、支持ベース４上においてＹ１−Ｙ２方向に移動自在に支持されている。前記ドライブシャーシ５１上には、Ｘ１−Ｘ２方向の中央に、回転駆動ユニット５２が設けられている。回転駆動ユニット５２は、スピンドルモータ（図示せず）を有し、このスピンドルモータの出力軸にターンテーブル５３が固定されている。また前記ディスクＤの搬送経路の上方には、クランプシャーシ５４がドライブシャーシ５１に対向して設けられ、前記ドライブシャーシ５１と前記クランプシャーシ５４とが平行な状態で組み合わされている。前記クランプシャーシ５４には、クランパ５５が回転自在に支持されており、前記クランパ５５は板ばねなどによって下方向（Ｚ１方向）へ付勢されている。
【００３１】
前記ドライブシャーシ５１には、クランプ機構が設けられており、このクランプ機構によりドライブシャーシ５１およびクランプシャーシ５４が上下に駆動される。ドライブシャーシ５１とクランプシャーシ５４の距離が離れていると、ターンテーブル５３とクランパ５５との間にディスクＤが移動する隙間が形成される。またドライブシャーシ５１とクランプシャーシ５４の距離が接近すると、クランパ５５が板ばねの力でターンテーブル５３に圧接させられ、ディスクＤの中心穴がターンテーブル５３にクランプされる。
【００３２】
図５と図６に示すように、前記ドライブシャーシ５１上には、光ヘッド装置５６が設けられている。前記光ヘッド装置５６には、ヘッド本体５９と、このヘッド本体５９をＸ方向に駆動させるヘッド駆動機構６０が設けられている。ヘッド本体５９には、ディスクＤの記録面に対向する対物レンズ５９ａが設けられている。またヘッド本体５９の内部には、前記対物レンズ５９ａにレーザ光を送る発光素子、およびディスクＤの記録面で反射され、対物レンズ５９ａを経て戻った反射戻り光を受光する受光素子、さらに前記レーザ光を処理する各種光学部材が設けられている。
【００３３】
前記ドライブシャーシ５１の上には、ヘッド案内部６２とスクリュー軸６１とが平行に設けられている。ヘッド本体５９は、前記ヘッド案内部６２に摺動自在に支持されているとともに、ヘッド本体５９に設けられたガイド部５９ｂ，５９ｃが前記スクリュー軸６１に摺動自在に支持されている。またヘッド本体５９には、スクリュー軸６１のスクリュー溝に係合する弾圧係合部（図示せず）が設けられている。ドライブシャーシ５１には、スレッドモータＭ１が搭載されており、このスレッドモータＭ１の回転力が減速機構を介して前記スクリュー軸６１に伝達される。
【００３４】
前記スクリュー軸６１とスレッドモータＭ１とで前記ヘッド駆動機構６０が構成されており、スクリュー軸６１の回転力により、ヘッド本体５９がＸ１−Ｘ２方向へ駆動される。
【００３５】
図４に示すように、前記スクリュー軸６１のターンテーブル側の端部は、ドライブシャーシ５１上に固定された軸受部材６４に回転自在に支持されている。また、図４に示すように、スクリュー軸６１の機器外方側の端部にはＸ１方向へ突出する小径の軸部６１ａが設けられ、この軸部６１ａがドライブシャーシ５１上に設けられた軸受部材６３に軸方向へ摺動自在に支持されている。
【００３６】
前記軸部部材６３よりもＸ１側には、板ばね７０が固定されている。板ばね７０には、ドライブシャーシ５１の表面に接する支持板部７０ａと、前記支持板部７０ａからほぼ垂直上方へ延びる軸弾性部７０ｂと、前記支持板部７０ａから後方（Ｙ１側）に延びる弾性部材７０ｃが一体に形成されている。前記支持板部７０ａには円形の位置決め穴７０ａ１と同じく円形の取付穴７０ａ２が形成されている。前記位置決め穴７０ａ１がドライブシャーシ５１の表面からＺ２方向へ突出する位置決め突起５１ａに挿通されて位置決めされ、前記取付穴７０ａ２に取り付けねじ（図示せず）が挿入されて螺着され、前記支持板部７０ａがドライブシャーシ５１に固定されている。
【００３７】
図４に示すように、前記スクリュー軸６１に形成された軸部６１ａは、前記軸受部材６３からＸ１方向へ突出しており、前記軸弾性部７０ｂが軸部６１ａの端部に弾圧されて、スクリュー軸６１が軸受部材６４に向けて弾圧され、スクリュー軸６１の軸方向のがたつきが防止されている。
【００３８】
前記板ばね７０によって一体に形成された前記弾性部材７０ｃは、前記支持板部７０ａのＹ１側の端部からさらにドライブシャーシ５１のＹ１側の端部を越えて延びている。図３に示すように、前記弾性部材７０ｃは、支持板部７０ａのＹ１側の端部においてＺ１側に垂直に折り曲げられた垂直折曲部７０ｃ１と、前記垂直折曲部７０ｃ１に連続してＹ１側に直角に折り曲げられた水平折曲部７０ｃ２と、前記水平折曲部７０ｃ２に連続して約４５度斜め上方（Ｚ２側）に折り曲げられた傾斜折曲部７０ｃ３とを有している。
【００３９】
次に、支持ベース４上において、駆動ユニット５０をＹ１−Ｙ２方向へ移動自在に案内して支持する案内手段の構造を説明する。
【００４０】
図５と図６に示すように、前記支持ベース４にはＸ１側とＸ２側に、それぞれＹ方向に延びるガイド長穴８０，８１がＺ方向へ貫通して形成されている。ガイド長穴８０と８１は互いに平行に延びている。一方のガイド長穴８０は、他方のガイド長穴８１よりも幅寸法が狭くなっており、前記ガイド長穴８０が、駆動ユニット５０がＹ方向へ移動する際のガイド基準となっている。また、前記ガイド基準となるガイド長穴８０のＹ１方向への直線延長上に、支持ベース４の一部が上方に折り曲げられた押圧部４ｂが形成されている。
【００４１】
図８に示すように、前記駆動ユニット５０のＸ１側の下面には、Ｚ１方向へ突出する第１の摺動ピン８２ａが固定され、それよりもＹ２側には同じくＺ１方向へ突出する第２の摺動ピン８２ｂが固定されており、それぞれの摺動ピン８２ａ，８２ｂが、ガイド基準となる前記ガイド長穴８０に摺動自在に挿入されている。図８に示すように、第１の摺動ピン８２ａの先端には抜け止め用の頭部８２ａ１が一体に形成され、第２の摺動ピン８２ｂの先端にも頭部８２ｂ１が設けられている。
【００４２】
前記第１の摺動ピン８２ａと第２の摺動ピン８２ｂの直径寸法は、前記ガイド長穴８０の幅寸法よりもわずかに小さいだけであり、第１の摺動ピン８２ａと第２の摺動ピン８２ｂは、ガイド長穴８０内をＸ方向へほとんどがたつくことなく、Ｙ１−Ｙ２方向に摺動する。また前記頭部８２ａ１と８２ｂ１の直径は、前記ガイド長穴８０の幅寸法よりも大きく形成され、この頭部８２ａ１と８２ｂ１が支持ベース４の下面側に位置していることにより、各摺動ピン８２ａと８２ｂが上方へ抜け出ないようになっている。
【００４３】
駆動ユニット５０のＸ２側の下面にも、同様にＹ方向へ間隔を空けて一対の摺動ピンが設けられ、この摺動ピンがガイド長穴８１内に摺動自在に挿入されている。前記摺動ピンの直径はガイド長穴８１の幅寸法よりも十分に小さく、前記第１の摺動ピン８２ａおよび第２の摺動ピン８２ｂとガイド長穴８０との摺動隙間よりも、Ｘ２側の前記摺動ピンとガイド長穴８１との摺動隙間の方が大きくなっている。
【００４４】
そして、前記支持ベース４には、前記駆動ユニット５０を図５に示す退避位置と、図６に示す駆動位置との間で移動させる移動駆動手段（図示せず）が設けられている。この移動駆動手段は、モータの回転動力を駆動ユニット５０のＹ方向への移動力に変換するものである。
【００４５】
次に、上記ディスク装置１の動作について説明する。
このディスク装置１に新たなディスクＤが挿入されるときには、ディスク設置部３のスクリュー軸４２が駆動されて、空のディスクホルダ４１が図２に示す選択位置４１Ａへ移動させられる。挿入口１０ｂからディスクＤが挿入されるときには、駆動ユニット５０が図１において破線で示し、さらに図６と図８に示す駆動位置に移動して停止している。挿入口１０ｂから挿入されたディスクＤはガイド部材１１と搬送手段２０とで挟持されて、図１の矢印（ｉｉ）方向へ搬送され、ディスクＤの中心がクランプ位置（ｖ）に移動するとディスク搬送が停止し、ディスクＤの中心穴がターンテーブル５３とクランパ５５とで挟持されてクランプされる。そして、ディスクＤが回転駆動され、光ヘッド装置５６により再生動作が行われる。
【００４６】
再生動作中は、ガイド部材１１と搬送手段２０との間隔が広げられて、ディスクＤから離れる。
【００４７】
再生が完了したディスクＤは前記ガイド部材１１と搬送手段２０とで挟持されてＹ１方向へ搬送され、選択位置４１Ａに位置する空のディスクホルダ４１に保持される。
【００４８】
ディスク設置部３内のディスクを選択するときには、駆動ユニット５０が、図１に実線で示し、さらに図５と図７に示す退避位置へ移動する。この退避位置では、駆動ユニット５０が、ディスク設置部３に保持されている各ディスクＤの外周に当たらない位置となる。よって、ディスク選択時にディスクホルダ４１の移動を妨げることがない。
【００４９】
そして、いずれかのディスクホルダ４１が選択されて選択位置４１Ａに至ると、駆動ユニット５０が前記駆動位置へ移動する。さらに選択位置４１Ａに位置するディスクＤがガイド部材１１と搬送手段２０とで挟持されて図１に示す矢印（ｉｉｉ）方向へ引き出され、ディスクＤの中心がクランプ位置（ｖ）に至ると、ディスクＤがターンテーブル５３とクランパ５５とでクランプされる。その後にガイド部材１１と搬送手段２０との間隔が広げられる。そして、クランプ位置（ｖ）にあるディスクＤは、選択位置４１Ａに位置するディスクホルダ４１と当たらない位置となり、さらにガイド部材１１と搬送手段２０とも当たることなく、回転駆動されて再生動作が行われる。
【００５０】
図６および図８に示すように、駆動ユニット５０がＹ１方向へ移動して駆動位置に至る際に、弾性部材７０ｃの傾斜折曲部７０ｃ３が、支持ベース４の押圧部４ｂに乗り上がり、前記傾斜折曲部７０ｃ３または水平折曲部７０ｃ２が押圧部４ｂを弾圧し、その反力で、駆動ユニット５０のＹ１側の前端部が支持ベース４から離れる方向へ付勢される。
【００５１】
よって、図８に示すように、第１の摺動ピン８２ａの頭部８２ａ１が支持ベース４の下面に当たり、前記反力により、駆動ユニット５０には、前記第１の摺動ピン８２ａの頭部８２ａ１と支持ベース４との当接点を支点とする図８に示す時計方向のモーメント（ｍ）が作用し、駆動ユニット５０のＹ２側の端部が支持ベース４の上面に押し付けられる。よって、駆動位置にある駆動ユニット５０が支持ベース４上でがたつくことがなく、ディスクの再生動作時には、駆動ユニット５０と支持ベース４とが一体化された状態で、エアーダンパー５とコイルスプリング５ｂとで弾性支持された状態となる。
【００５２】
したがって、エアーダンパー５とコイルスプリング５ｂの緩衝機能を十分に発揮でき、車載用の場合などのように外部振動が与えられても、光ヘッド装置５６による読取り動作での再生データの読取りエラーを低減することができる。
【００５３】
特に、前記弾性部材７０ｃと押圧部４ｂとの弾圧部は、基準ガイドとなるガイド長穴８０の延長線上に位置しているため、このガイド長穴８０内を摺動する第１の摺動ピン８２ａと第２の摺動ピン８２ｂとの摺動部分に対して、図８に示すモーメント（ｍ）を確実に作用させることができる。しかも、第１の摺動ピン８２ａおよび第２の摺動ピン８２ｂとガイド長穴８０との間のＸ方向の摺動隙間が小さいため、駆動位置に移動した駆動ユニット５０は、前記弾性部材７０ｃの弾圧力により基準ガイドの位置で支持ベース４に確実に押さえつけられるようになる。
【００５４】
また、図８に示すモーメント（ｍ）で、駆動ユニット５０のＹ２側の端部が支持ベース４に押し付けられる力Ｆは、第１の摺動ピン８２ａから弾性部材７０ｃによる弾圧部までの距離と、第１の摺動ピン８２ａから第２の摺動ピン８２ｂまでの距離とのテコ比に依存する。したがって、前者の距離は、後者の距離よりも半分以上であれば、前記力Ｆを大きくすることができる。
【００５５】
また、駆動ユニット５０が図６と図８に示す駆動位置からＹ２方向へ移動し始めた時点で、弾性部材７０ｃと押圧部４ｂとが離れるため、駆動ユニット５０が支持ベース４上を移動する際の移動負荷を低減できる。
【００５６】
なお、本発明は前記実施の形態に限られるものではなく、支持ベース（ベース部材）４側に弾性部材７０ｃが設けられ、駆動ユニット５０側に押圧部が設けられていてもよい。
【００５７】
また、弾性部材７０ｃと押圧部４ｂとの弾圧位置は、前記のように基準ガイドであるガイド長穴８０の延長線上に位置していることが好ましいが、前記弾圧位置は必ずしも前記延長線上にある必要はない。ただし、図８に示すモーメント（ｍ）によって駆動ユニット５０を確実に安定させるためには、前記弾圧位置が、ガイド長穴８１よりもガイド長穴８０に近い位置にあることが好ましい。
【００５８】
【発明の効果】
以上のように本発明によれば、簡単な機構でディスクを駆動している状態での駆動ユニットのがたつきを防止でき、記録再生時の信号エラーの発生を抑制しやすくなる。
【図面の簡単な説明】
【図１】本発明のディスク装置の内部構造の一例を示す平面図、
【図２】図１に示すディス装置の側面図、
【図３】駆動ユニットが駆動位置にあるときの一部拡大斜視図、
【図４】図３のＩＶ矢視の側面図、
【図５】駆動ユニットが退避位置に移動しているときの平面図、
【図６】駆動ユニットが駆動位置に移動しているときの平面図、
【図７】図５のＶＩＩ矢視の側面図、
【図８】図６のＶＩＩＩ矢視の側面図
【符号の説明】
１  ディスク装置
３  ディスク設置部
４  支持ベース
４ｂ  押圧部
１１  ガイド部材
２０  搬送手段
２１，２２，２３，２４  搬送ローラ
５０  駆動ユニット
５１  ドライブシャーシ
５３  ターンテーブル
５５  クランパ
６１  スクリュー軸
７０  板ばね
７０ａ  支持板部
７０ｂ  軸弾性部
７０ｃ  弾性部材
８０，８１  ガイド長穴
８２ａ  第１の摺動ピン
８２ｂ  第２の摺動ピン
【図１】
2004310942.tif 000003
【図２】
2004310942.tif 000004
【図３】
2004310942.tif 000005
【図４】
2004310942.tif 000006
【図５】
2004310942.tif 000007
【図６】
2004310942.tif 000008
【図７】
2004310942.tif 000009
【図８】
2004310942.tif 000010